(57)【特許請求の範囲】
【請求項１】
玄関ホールに階段が設けられてなる玄関構造において、
前記階段の１段目の段板が、他の段板より広い広段板になっており、
この広段板の端部が玄関の上り框上に位置して、腰掛け可能となっていることを特徴とする玄関構造。
【請求項２】
請求項１に記載の玄関構造において、
前記広段板の端部は前記上り框より玄関土間側に突出していること特徴とする玄関構造。
【請求項３】
請求項２に記載の玄関構造において、
前記広段板の前記上り框より突出した端部の縁部が、前記上り框に対して平面視において所定の角度をもって配置されていることを特徴とする玄関構造。
【請求項４】
請求項２または３に記載の玄関構造において、
前記広段板の前記上り框より突出した端部の一部が玄関土間に設けられた下駄箱の側部に接していることを特徴とする玄関構造。
【請求項５】
請求項４に記載の玄関構造において、
前記広段板の前記上り框より突出した端部近傍に手摺が配置されており、この手摺は前記下駄箱に固定されていることを特徴とする玄関構造。
【請求項６】
請求項２〜５のいずれか一項に記載の玄関構造において、
前記広段板の前記上り框より突出した端部の下方は、床下収納となっていることを特徴とする玄関構造。
【請求項７】
請求項１〜６のいずれか一項に記載の玄関構造において、
前記広段板の腰掛け可能となっている端部が、前記広段板のその他の部分と異なる仕上になっていることを特徴とする玄関構造。
【発明の詳細な説明】
【技術分野】
【０００１】
本発明は、玄関ホールに階段が設けられてなる玄関構造に関する。
【背景技術】
【０００２】
玄関ホールに階段が設けられてなる玄関構造の一例として、特許文献１に記載されたものが知られている。この特許文献１の図１５に示す玄関構造では、玄関ホールに、２階へ上るための階段が設けられており、この階段の下端部が玄関ホールの上り框の近傍に位置している。
【先行技術文献】
【特許文献】
【０００３】
【特許文献１】特開平２００８−７５４２９号公報
【発明の概要】
【発明が解決しようとする課題】
【０００４】
ところで、近年では住宅のバリアフリー化のために、上り框と玄関土間との段差が小さくなっているので、上り框に腰掛けた際に膝が立ってしまい、このため、靴を履いたり脱いだりする際に膝が邪魔になって手間がかかるとともに、腰の位置が低くなっているので、立ち上がり難い。
このため、上り框付近に腰掛用の台を載置することもあるが、この台は腰掛け用以外では邪魔になるので、収納場所にも困るとともに、上り框近傍に載置するだけでは、腰掛けた際に不安定であるという問題がある。
【０００５】
本発明は上記事情に鑑みてなされたもので、玄関で膝を立てずに容易に靴の履き脱ぎができるとともに立ち上がり易く、しかも、安定的に腰掛けることができる玄関構造を提供することを課題としている。
【課題を解決するための手段】
【０００６】
上記課題を解決するために、請求項１に記載の発明は、例えば図１〜図４に示すように、玄関ホール１（２１）に階段４（２４）が設けられてなる玄関構造において、
前記階段４（２４）の１段目の段板が、他の段板４ａ（２４ａ）より広い広段板４ｂ（２４ｂ）になっており、
この広段板４ｂ（２４ｂ）の端部４ｃ（２４ｃ）が玄関の上り框３（２３）上に位置して、腰掛け可能となっていることを特徴とする。
【０００７】
請求項１に記載の発明によれば、上り框３（２３）より高い広段板４ｂ（２４ｂ）の端部４ｃ（２４ｃ）が上り框３（２３）上に位置しているので、広段板４ｂ（２４ｂ）は上り框３（２３）より１段高い位置にある。そして、広段板４ｂ（２４ｂ）の端部４ｃ（２４ｃ）は腰掛け可能となっているので、この端部４ｃ（２４ｃ）に腰掛けると、上り框３（２３）に腰掛けた場合に比べて、膝を立てることなく、靴を容易に履き脱ぎできるとともに、腰の位置が高くなるので立ち上がり易くなる。また、広段板４ｂ（２４ｂ）は階段４（２４）の１段目の段板であるので強固に固定されており、よって、安定的に腰掛けることができる。
【０００８】
請求項２に記載の発明は、請求項１に記載の玄関構造において、
前記広段板４ｂ（２４ｂ）の端部４ｃ（２４ｃ）は前記上り框３（２３）より玄関土間２（２２）側に突出していること特徴とする。
【０００９】
請求項２に記載の発明によれば、広段板４ｂ（２４ｂ）の端部４ｃ（２４ｃ）が上り框３（２３）より玄関土間２（２２）側に突出しているので、この広段板４ｂ（２４ｂ）の端部４ｃ（２４ｃ）に、より腰掛け易くなる。
【００１０】
請求項３に記載の発明は、例えば図３および図４に示すように、請求項２に記載の玄関構造において、
前記広段板２４ｂの前記上り框２３より突出した端部２４ｂの縁部２４ｄが、前記上り框２３に対して平面視において所定の角度をもって配置されていることを特徴とする。
【００１１】
ここで、広段板の端部の縁部は、平面視において、直線状であってもよいし、曲線状であってもよい。曲線状の場合、広段板を、その端部の縁部が平面視において上り框と交差するようにして配置すればよい。
【００１２】
請求項３に記載の発明によれば、広段板２４ｂの端部２４ｃの縁部２４ｄが、上り框２３に対して平面視において所定の角度をもって配置されているので、広段板２４ｂの端部２４ｃに平面視において上り框２３に対して所定の角度をもって、足を上り框２３側に近づけて腰掛けることができる。したがって、腰掛けた状態で、足の向きを上り框２３と玄関土間２２との間で容易に移動させることがきるので、玄関土間２２で靴を脱いで、容易に上り框２３上に足を向けて、玄関ホール２１に移動できる。
【００１３】
請求項４に記載の発明は、請求項２または３に記載の玄関構造において、
前記広段板２４ｂの前記上り框２３より突出した端部２４ｃの一部が玄関土間２２に設けられた下駄箱２７の側部に接していることを特徴とする。
【００１４】
請求項４に記載の発明によれば、広段板２４ｂの端部２４ｃの一部が玄関土間２２に設けられた下駄箱２７の側部に接しているので、広段板２４ｂの端部２４ｃに腰掛けて、容易に下駄箱２７に靴を出し入れできる。
【００１５】
請求項５に記載の発明は、請求項４に記載の玄関構造において、
前記広段板２４ｂの前記上り框２３より突出した端部近傍に手摺２８が配置されており、この手摺２８は前記下駄箱２７に固定されていることを特徴とする。
【００１６】
請求項５に記載の発明によれば、広段板２４ｂの端部近傍に配置された手摺２８が下駄箱２７に固定されているので、手摺２８を広段板２４ｂの端部近傍に確実に配置できる。また、手摺２８があるので、広段板２４ｂの端部２４ｃに容易に腰掛け、また、腰掛けた状態から容易に立ち上がることができる。
【００１７】
請求項６に記載の発明は、請求項２〜５のいずれか一項に記載の玄関構造において、
前記広段板２４ｂの前記上り框２３より突出した端部２４ｃの下方は、床下収納３０となっていることを特徴とする。
【００１８】
請求項６に記載の発明によれば、広段板２４ｂの端部２４ｃの下方は、床下収納３０となっているので、床下空間が広段板２４ｂの玄関ホール床面からの高さ分だけ、高くなって収納力が向上する。
【００１９】
請求項７に記載の発明は、請求項１〜６のいずれか一項に記載の玄関構造において、
前記広段板２４ｂの腰掛け可能となっている端部２４ｃが、前記広段板２４ｂのその他の部分２４ｅと異なる仕上になっていることを特徴とする。
【００２０】
請求項７に記載の発明によれば、広段板２４ｂの腰掛け可能となっている端部２４ｃが異なる仕上になっているので、この端部２４ｃを腰掛け部として容易に認識して、腰掛け易くなる。
【発明の効果】
【００２１】
本発明によれば、前記階段の１段目の段板が、他の段板より広い広段板になっており、この広段板の端部が玄関の上り框上に位置して、腰掛け可能となっているので、この端部に腰掛けると、上り框に腰掛けた場合に比べて、膝を立てることなく、靴を容易に履き脱ぎできるとともに、腰の位置が高くなるので立ち上がり易くなる。また、広段板は階段の１段目の段板であるので固定されており、よって、安定的に腰掛けることができる。
【図面の簡単な説明】
【００２２】
【図１】本発明に係る玄関構造の一例を示すもので、玄関構造を備えた住宅の１階の平面図である。
【図２】同、玄関構造の斜視図である。
【図３】本発明に係る玄関構造の他の例を示すもので、玄関構造の斜視図である。
【図４】同、玄関構造の平面図である。
【発明を実施するための形態】
【００２３】
以下図面を参照して、本発明の実施の形態について説明する。
（第１の実施の形態）
図１および図２は、本発明に係る玄関構造の一例を示すもので、図１は玄関構造を備えた住宅の１階の平面図、図２は玄関構造の斜視図である。
【００２４】
図１および図２において、符号１は玄関ホール、符号２は玄関土間、符号３は上り框を示す。
玄関ホール１には、２階との行き来をするための階段４が内壁５に接して設けられている。この階段４は直階段であり、複数の段板４ａ・・・を備えており、これら段板４ａのうち、１段目の段板４ａが、広段板４ｂとなっている。
この広段板４ｂは、長方形板状のものであり、他の段板４ａと幅は等しいが奥行き方向の長さが長くなっており、他の段板４ａより広くなっている（面積が大きくなっている）。
【００２５】
広段板４ｂの先端部は上り框３より玄関土間２側に突出しており、この突出している端部４ｃが腰掛け可能な腰掛け部４ｃとなっている。
したがって、腰掛け部４ｃの玄関土間２の床面からの高さは、広段板４ｂの高さ分、玄関ホール１の床面より高くなっている。
また、広段板４ｂの端部近傍には、縦長の手摺６が配置されており、この手摺６の上下端部がそれぞれ内壁５に固定されている。
なお、住宅の１階には、居間７、キッチン８、洗面所９、トイレ１０、浴室１１等が配置され、玄関土間２の横には収納室１２が配置され、玄関土間２から行き来できるようになっている。
【００２６】
本実施の形態によれば、上り框３より高い広段板４ｂの端部４ｃが上り框３上に位置しているので、広段板４ｂは上り框３より１段高い位置にある。そして、広段板４ｂの端部４ｃは腰掛け可能な腰掛け部４ｃとなっているので、この腰掛け部４ｃに腰掛けると、上り框３に腰掛けた場合に比べて、膝を立てることなく、靴を容易に履き脱ぎできるとともに、腰の位置が高くなるので立ち上がり易くなる。
また、広段板４ｂは階段４の１段目の段板４ａであるので強固に固定されており、よって、安定的に腰掛けることができる。
さらに、広段板４ｂの端部４ｃが腰掛け部４ｃとして上り框３より玄関土間２側に突出しているので、この広段板４ｂの端部（腰掛け部）４ｃに、より腰掛け易くなる。
また、手摺６があるので、広段板４ｂの端部（腰掛け部）４ｃに容易に腰掛け、また、腰掛けた状態から容易に立ち上がることができる。
【００２７】
（第２の実施の形態）
図３および図４は、本発明に係る玄関構造の他の例を示すもので、図３は玄関構造の斜視図、図４は玄関構造の平面図である。
【００２８】
図３および図４において、符号２１は玄関ホール、符号２２は玄関土間、符号２３は上り框を示す。
玄関ホール２１には、２階との行き来をするための階段２４が内壁２５に接して設けられている。この階段２４は直階段であり、複数の段板２４ａ・・・を備えており、これら段板２４ａのうち、１段目の段板２４ａが、広段板２４ｂとなっている。
前記段板２４ａの一側部は、内壁２５に固定されており、他端部が階段手摺２６の手摺子２６ａに吊持されている。同様に広段板２４ｂの一側部も、内壁２５に固定されており、他端部が手摺子２６ａに吊持されている。
広段板２４ｂは、略長方形板状のものであり、他の段板２４ａと幅と奥行き方向の長さが長くなっており、他の段板２４ａより広くなっている（面積が大きくなっている）。
【００２９】
広段板２４ｂの先端部は上り框２３より玄関土間２２側に突出しており、この突出している端部２４ｃが腰掛け可能な腰掛け部２４ｃとなっている。
したがって、腰掛け部２４ｃの玄関土間２２の床面からの高さは、広段板２４ｂの高さ分、玄関ホール２１の床面より高くなっている。
また、広段板２４ｂの上り框２３より突出した端部の縁部２４ｄが、上り框２３に対して平面視において所定の角度をもって配置されている。本実施の形態では、縁部２４ｄは円弧状（曲線状）となっており、この縁部２４ｄが平面視において上り框２３と交差している。これによって、縁部２４ｄが、上り框２３に対して平面視において所定の角度をもって配置されている。
また、広段板２４ｂの腰掛け可能となっている端部（腰掛け部）２４ｃは、広段板２４ｂのその他の部分２４ｅと異なる仕上になっている。例えば、腰掛け部２４ｃは、その他の部分２４ｅより、表面が摩擦係数の大きい仕上となっている。具体的には、腰掛け部２４ｃの表面は細かい凹凸が多数形成されており、その他の部分２４ｅは表面が滑らかになっている。なお、腰掛け部２４ｃに、他の部分２４ｅより硬度の低い素材を用い、これによって腰掛け易くしてもよい。
【００３０】
前記玄関土間２２には、下駄箱２７がその背面を内壁２５に当接して設置されており、この下駄箱２７の前面には引違い式の戸が設けられており、この戸を開けて内部に靴を収納したり、内部から靴を取り出すようになっている。
前記広段板２４ｂの上り框２３より突出した端部２４ｃの一部（図４において右側部）は下駄箱２７の側部２７ａに接している。
また、広段板２４ｂの端部近傍には、手摺２８が配置されている。この手摺２８は垂直部２８ａと水平部２８ｂとからなる略Ｌ型に形成されており、垂直部２８ａの下端部が下駄箱２７の底部近傍に固定され、水平部２８ｂの端部が下駄箱２７の天板に固定されている。このような、手摺２８は腰掛け部２４ｃの近傍に配置されている。
また、広段板２４ｂの上り框２３より突出した端部２４ｃの下方は床下収納３０となっている。この床下収納３０は、広段板２４ｂの下方の床下収納と繋がっている。つまり、広段板２４ｂの下方には、玄関ホール２１の床は存在しておらず、広段板２４ｂと玄関土間２２の床面との間が床下収納となっている。そして、この床下収納と、前記床下収納３０とが繋がっている。
【００３１】
本実施の形態によれば、第１の実施の形態と同様に、上り框２３より高い広段板２４ｂの端部２４ｃが上り框２３上に位置しているので、広段板２４ｂは上り框２３より１段高い位置にある。そして、広段板２４ｂの端部２４ｃは腰掛け可能な腰掛け部２４ｃとなっているので、この腰掛け部２４ｃに腰掛けると、上り框２３に腰掛けた場合に比べて、膝を立てることなく、靴を容易に履き脱ぎできるとともに、腰の位置が高くなるので立ち上がり易くなる。
また、広段板２４ｂは階段２４の１段目の段板２４ａであるので強固に固定されており、よって、安定的に腰掛けることができる。
さらに、広段板２４ｂの端部２４ｃが腰掛け部２４ｃとして上り框３より玄関土間２側に突出しているので、この広段板２４ｂの端部（腰掛け部）２４ｃに、より腰掛け易くなる。
【００３２】
また、広段板２４ｂの端部２４ｃの縁部２４ｄが、上り框２３に対して平面視において所定の角度をもって円弧状に配置されているので、広段板２４ｂの端部２４ｃに平面視において上り框２３に対して所定の角度をもって、足を上り框２３側に近づけて腰掛けることができる。したがって、腰掛けた状態で、足の向きを上り框２３と玄関土間２２との間で容易に移動させることがきるので、玄関土間２２で靴を脱いで、容易に上り框２３上に足を向けて、玄関ホール２１に移動できる。
さらに、広段板２４ｂの端部２４ｃの一部が玄関土間２２に設けられた下駄箱２７の側部に接しているので、広段板２４ｂの端部２４ｃに腰掛けて、容易に下駄箱２７に靴を出し入れできる。
また、広段板２４ｂの端部近傍に配置された手摺２８が下駄箱２７に固定されているので、手摺２８を広段板２４ｂの端部近傍に確実に配置できる。また、手摺２８があるので、広段板２４ｂの端部２４ｃに容易に腰掛け、また、腰掛けた状態から容易に立ち上がることができる。
また、広段板２４ｂの腰掛け可能となっている端部２４ｃがその他の部分２４ｅと異なる仕上になっているので、この端部２４ｃを腰掛け部２４ｃとして容易に認識して、腰掛け易くなる。
また、広段板２４ｂの端部の下方は、床下収納３０となっているので、床下空間が広段板２４ｂの床面（玄関ホール２１の床面）からの高さ分だけ、高くなって収納力が向上する。
【符号の説明】
【００３３】
１，２１  玄関ホール
２，２２  玄関土間
３，２３  上り框
４，２４  階段
４ａ，２４ａ  段板
４ｂ，２４ｂ  広段板
２７  下駄箱
２８  手摺
３０  床下収納
【図１】
0005410315.tif 000002
【図２】
0005410315.tif 000003
【図３】
0005410315.tif 000004
【図４】
0005410315.tif 000005